(57)【要約】      （修正有）【課題】大きなサイズの可撓性シート材を支持するためのフレームを製造するのに使用でき、しかも支持面に簡単に固定できる細長いエレメントを提供する。【解決手段】可撓性シート材を備えたパネルシステムのフレーム用の細長いエレメントは、主形材１０ａを含み、この主形材には副形材２０ａが取り付けられている。副形材２０ａには、シート材Ｓの端部を固定するための手段３０が設けられ、位置調節ねじ３４を動かすことにより、主形材１０ａに対して動かすことができる。主形材１０ａは、主形材に付いている連結部分１８と係合する連結手段２１により壁Ｗの面に固定できるようになっている。位置調節ねじ３４は、調節用構造部３４ａを有し、この調節用構造部は、細長いエレメント１０の主形材１０ａが壁Ｗに固定され、シート材Ｓが副形材２０ａに固定されているときに、フレームの外から手が届く。【選択図】図１
2005163528.tif 000002
【特許請求の範囲】
【請求項１】
主形材（１０ａ；１０ｂ；１０ｃ）を含み、前記主形材には副形材（２０ａ；２０ｂ；２０ｃ）が取り付けられ、前記副形材には前記シート材（Ｓ）の端部を固定するための手段（３０）が設けられ、前記副形材（２０ａ；２０ｂ；２０ｃ）が、前記副形材の位置を調節するための手段（３４）を駆動することにより、それぞれの主形材（１０ａ；１０ｂ；１０ｃ）に対して可動であるように取り付けられている、可撓性シート材を備えたパネルシステムのフレーム用の細長いエレメントであって、
前記主形材（１０ａ；１０ｂ；１０ｃ）は、前記主形材（１０ａ；１０ｂ；１０ｃ）に結合された連結部分（１８）と係合する連結手段（２１）により、壁（Ｗ）の面のような支持面に固定できるように適合され、前記位置調節手段は、複数のねじ部材（３４）を備え、前記ねじ部材は、調節用構造部（３４ａ；３４ｂ；３４ｅ）を有し、前記調節用構造部は、前記細長いエレメント（１０）の前記主形材（１０ａ；１０ｂ；１０ｃ）が前記支持面に固定され、前記シート材（Ｓ）が前記副形材（２０ａ；２０ｂ；２０ｃ）に固定されたときに、前記フレームの外から届く位置に配置されている、ことを特徴とするエレメント。
【請求項２】
請求項１に記載のエレメントにおいて、前記ねじ部材（３４）を駆動することによる前記主形材（１０ａ；１０ｂ）に対する平行移動に応じて前記副形材（２０ａ；２０ｂ）を案内する案内手段（２４，３６，３８；１５，３４，３４ｃ）が設けられ、前記案内手段（２４，３６，３８；１５，３４，３４ｃ）は、前記シート材（Ｓ）に張力をかけたときに、前記副形材（２０ａ；２０ｂ）が前記主形材（１０ａ；１０ｂ）から離れるのを防止するように適合されている、ことを特徴とするエレメント。
【請求項３】
請求項１又は２に記載のエレメントにおいて、前記主形材（１０ａ；１０ｂ；１０ｃ）は、梁部（１２）を有し、前記梁部には、前記梁部を壁（Ｗ）の面のような支持面に固定可能とするために、それぞれのねじ（２１）と係合させるための少なくとも一つの孔が形成されている、ことを特徴とするエレメント。
【請求項４】
請求項１又は２に記載のエレメントにおいて、前記主形材（１０ａ；１０ｂ；１０ｃ）は、梁部（１２）を有し、前記梁部には、前記梁部を金属壁（Ｗ）の面に固定可能とするために、磁石式固定部材を入れるための座部が形成されている、ことを特徴とするエレメント。
【請求項５】
請求項３又は４に記載のエレメントにおいて、前記主形材（１０ａ；１０ｃ）は、細長い付属部（１４）を有し、前記細長い付属部は、前記梁部（１２）から延び、かつ、巻き付け端部（１６）を設けられており、前記巻き付け端部は、前記シート材（Ｓ）の端部近傍の一部によりスライド可能に取り巻かれるようになっている、ことを特徴とするエレメント。
【請求項６】
請求項３又は４に記載のエレメントにおいて、前記副形材（２０ｂ）は、巻き付け端部（１６）を有し、前記巻き付け端部は、前記シート材（Ｓ）の端部近傍の一部により取り巻かれるようになっている、ことを特徴とするエレメント。
【請求項７】
請求項５又は６に記載のエレメントにおいて、前記主形材（１０ａ；１０ｃ）の前記梁部（１２）からリブ（１８）が延在し、前記リブは、前記主形材（１０ａ；１０ｃ）を前記連結手段（２１）によって支持面に固定するのに利用でき、又は、前記フレームの補強用横材（１７）を固定するのに利用できる、ことを特徴とするエレメント。
【請求項８】
請求項２から７までのいずれか１項に記載のエレメントにおいて、前記副形材（２０ａ；２０ｂ；２０ｃ）は、前記シート材（Ｓ）の端部を少なくとも一つの取り外し可能なクリップ・エレメント（３０）を用いて固定するための手段（２６；２６ａ；２６ｂ）を有する、ことを特徴とするエレメント。
【請求項９】
請求項８に記載のエレメントにおいて、前記固定するための手段は、曲がったリム（２６）を含んでおり、前記リムは、前記副形材（２０ａ；２０ｃ）から延びている、ことを特徴とするエレメント。
【請求項１０】
請求項８又は９に記載のエレメントにおいて、前記固定するための手段は、広がった頭部（２６ｂ；２６ｃ）を備え、前記頭部には、鋭利な端部の構造部が背中合わせに設けられ、前記鋭利な端部の構造部は、前記クリップ・エレメント（３０）の対応する構造部とスナップ式に係合させるためのものである、ことを特徴とするエレメント。
【請求項１１】
請求項１０に記載のエレメントにおいて、前記クリップ・エレメント（３０）には、前記クリップ・エレメントを手でつかみやすくするために、つかみ舌部（３０ａ）が設けられている、ことを特徴とするエレメント。
【請求項１２】
請求項２から１１までのいずれか１項に記載のエレメントにおいて、前記副形材（２０ａ；２０ｃ）は、互いにほぼ垂直な第１部分（２２）と第２部分（２４）とを有するように、実質的にＬ字形状である、ことを特徴とするエレメント。
【請求項１３】
請求項１２に記載のエレメントにおいて、前記主形材（１０ａ；１０ｂ）は、前記副形材（２０ａ；２０ｂ）の第２部分（２４）をスライド可能に入れるための細長い空洞（３６）を画定するフック状構造部（３８）を有し、前記副形材（２０ａ；２０ｂ）は、前記第２部分（２４）を前記空洞（３６）に係合させることにより、前記主形材（１０ａ；１０ｂ）に常に近い状態に維持される、ことを特徴とするエレメント。
【請求項１４】
請求項１３に記載のエレメントにおいて、前記空洞（３６）は、前記細長い付属部（１４）に対し横に延びており、前記主形材（１０ａ）が支持壁（Ｗ）に固定されているときの前記副形材（２０ａ）の前記主形材（１０ａ）への取り付けと取り付け位置の維持が容易であるように、前記副形材（２０ａ）の前記第２部分（２４）の長さは、前記フック状構造部（３８）の自由端と、前記細長い付属部（１４）との間の距離に実質的に等しい、ことを特徴とするエレメント。
【請求項１５】
請求項１から１４までのいずれか１項に記載のエレメントにおいて、前記ねじ部材（３４）は、それぞれ、調節用構造部（３４ａ；３４ｂ；３４ｅ）と、ねじ山を切ってある軸と、を有し、前記軸は、前記副形材（２０ａ；２０ｂ；２０ｃ）に形成された対応するねじ孔に係合し、前記副形材（２０ａ；２０ｂ；２０ｃ）とそれぞれの主形材（１０ａ；１０ｂ；１０ｃ）との間の距離は、前記フレームで支持しているシート材（Ｓ）の張り具合を変えるために、前記ねじ部材（３４）を前記軸回りに回転させることにより、調整することができる、ことを特徴とするエレメント。
【請求項１６】
請求項１５に記載のエレメントにおいて、前記ねじ部材（３４）の軸のねじ山は、それぞれのナット（３５ｂ）のねじ山と係合し、前記ナットは、前記副形材（２０ａ）と取り外し可能に結合している、ことを特徴とするエレメント。
【請求項１７】
請求項１５又は１６に記載のエレメントであって、前記細長い付属部（１４）の前記副形材（２０ａ）と対向する面に、前記溝は、前記ねじ部材（３４）の軸の自由端の一部を入れるための溝（３５）が形成されている、ことを特徴とするエレメント。
【請求項１８】
請求項５から１７までのいずれか１項に記載のエレメントにおいて、前記ねじ部材（３４）は、それぞれ、ねじ山が切ってある軸を有し、前記軸は、前記副形材（２０ｂ）を横切り、かつ、端部に広がった頭部（３４ｃ）を設けられ、前記頭部は、前記主形材（１０ｃ）の前記細長い付属部（１４）に形成された逃げ溝（１５）に回転自由に入れられるようになっており、前記副形材（２０ｃ）とそれぞれの前記主形材（１０ｃ）との間の距離は、前記フレームで支持する前記シート材（Ｓ）の張り具合を変えるために、前記ねじ部材（３４）を前記軸回りに回転させることにより調整することができる、ことを特徴とするエレメント。
【請求項１９】
請求項１８に記載のエレメントにおいて、前記ねじ部材（３４）は、それぞれ、調節用構造部（３４ｅ）を有し、前記調節用構造部は、前記ねじ山を切ってある軸の、前記広がった頭部（３４ｃ）と反対側の端部に固定することができる、ことを特徴とするエレメント。
【請求項２０】
請求項１９に記載のエレメントにおいて、前記ねじ部材（３４）の調整用構造部（３４ｅ）は、前記ねじ部材（３４）の前記ねじ山を切ってある軸の端部に固定可能なボディであり、前記ボディは、前記軸から延びている角柱構造部（３４ｄ）を前記ボディの対応する空洞に係合させることにより前記ねじ山を切ってある軸の端部に固定できる、ことを特徴とするエレメント。
【請求項２１】
請求項１から２０までのいずれか１項に記載のエレメントにおいて、前記ねじ部材（３４）の調節用構造部（３４ｂ；３４ｅ）は、使用者が前記ねじ部材を手で動かしやすいように、放射状のフィンを設けられている、ことを特徴とするエレメント。
【請求項２２】
請求項１から２０までのいずれか１項に記載のエレメントにおいて、前記ねじ部材（３４）の調節用構造部（３４ａ）は、駆動工具（Ｔ）によって動かすことができ、かつ、前記調節用構造部（３４ａ）は、円盤状基部（３３）を有し、前記円盤状基部は、前記ねじ部材（３４）を回すときに、前記駆動工具（Ｔ）をその位置に維持することを容易にする、ことを特徴とするエレメント。
【請求項２３】
請求項１から２２までのいずれか１項に記載のエレメントにおいて、前記主形材（１０ａ；１０ｂ；１０ｃ）にフレーム形材（４４）を取り付けることができ、前記フレーム形材は、前記主形材（１０ａ；１０ｂ；１０ｃ）又は前記フレーム形材（４４）の固定手段（４２）を前記フレーム形材（４４）又は前記主形材（１０ａ；１０ｂ；１０ｃ）の凹部（４０）に係合させることにより前記主形材（１０ａ；１０ｂ；１０ｃ）にスナップ式に固定できる、ことを特徴とするエレメント。
【請求項２４】
請求項２３に記載のエレメントにおいて、前記凹部（４０）は、前記フック状構造部（３８）近傍に画定された空洞であり、前記細長い付属部（１４）と反対の側を向いている、ことを特徴とするエレメント。
【請求項２５】
請求項１から２４までのいずれか１項に記載のエレメントにおいて、前記主形材（１０ａ）は、前記主形材の軸方向端部に、直線状の連結要素（５０ａ）、曲げられた連結要素（５０ｂ）、又は曲線状の連結要素を入れるための座部（１２ａ）を有し、前記直線状の連結要素（５０ａ）、曲げられた連結要素（５０ｂ）、又は曲線状の連結要素は、前記座部（１２ａ）の断面に対応した断面を有する、ことを特徴とするエレメント。
【請求項２６】
請求項２５に記載のエレメントにおいて、前記座部は、前記主形材（１０ａ）の前記梁部（１２）の軸方向空洞（１２ａ）によって画定されている、ことを特徴とするエレメント。
【請求項２７】
請求項３から２６のいずれか１項に記載のエレメントにおいて、前記主形材（１０ａ）の前記梁部（１２）は、前記連結要素（５０ａ、５０ｂ）を固定するためのねじの頭部を入れることが可能な係合用構造部（１３ａ）を有する、ことを特徴とするエレメント。
【請求項２８】
可撓性シート材を備えたパネルシステム用のフレームであって、請求項１から２７までのいずれか１項に記載の細長いエレメント（１０）を複数含む、ことを特徴とするフレーム。
【請求項２９】
請求項２８に記載のフレームにおいて、前記細長いエレメント（１０）の前記主形材（１０ａ）の前記梁部（１２）は、中空であって、多角形の断面（１２ａ）を有し、前記主形材（１０ａ）の空洞（１２ａ）には、直線状の連結要素（５０ａ）、曲げられた連結要素（５０ｂ）、又は曲線状の連結要素が挿入され、前記連結要素は、前記主形材（１０ａ）の前記空洞（１２ａ）の断面に対応した多角形断面を有し、ボルト（１９ａ、１９ｂ）のようなねじ型固定要素によって前記主形材（１０ａ）の端部に固定される、ことを特徴とするフレーム。
【発明の詳細な説明】
【技術分野】
【０００１】
本発明は、一般にフレームに関し、そのフレームは可撓性のあるシート材を支持し、かつ、張ることに利用でき、その目的は、いろいろな役割に使用できるパネルシステムを作ることであり、それらの役割は、それぞれ、使用するシート材の種類、及びシート材が取り付けられる面に依存する。
【０００２】
以下の記述において、フレームという用語は、閉構造と、開構造との両方の意味で使用されている。閉構造は、複数の細長いエレメントからなり、これらのエレメントは、シート材を張った状態に保つように、互いにその端部において連結されている。開構造は、張ろうとしているシート材の端部を取り付るための少なくとも一つの細長いエレメントを含み、シート材の他端は、別の細長いエレメントと、又はそれ自体公知であるタイプの固定装置と連結されている。
【０００３】
絵画用のキャンバス又は類似のものを支持し、かつ、張るのに適したフレームがイタリアの実用新案登録出願ＴＯ９６Ｕ０００１０３に記載されている。このフレームは、角柱形状のベースフレームを備え、このベースフレームは、周縁にタブを有している。タブは、張ろうしているシート材で取り巻くためのものである。ベースフレームに対応した形状を有するカウンターフレームが、伸縮自在に取り付けられ、ベースフレームから外へスライドできるようになっている。また、カウンターフレームは、シート材の端部を着脱可能な固定手段を用いて固定するために、周縁にエッジを有している。ベースフレームとカウンターフレームの両方に対応する貫通孔が形成され、弾性のあるくさびを挿入可能となっている。このくさびは、シート材の張り具合を調整するために、ベースフレームの内側から作用して、ベースフレームに対するカウンターフレームの位置を変えるものである。
【０００４】
この文献のフレームは、大きなサイズのシート材に利用するにはあまり適していない。このような場合には、ベースフレーム及びカウンターフレームをも非常に大きくしなければならない。しかし、側面が非常に長く、かつ、比較的断面が小さいベースフレームとカウンターフレームとが互いに効果的にスライドすることを確実にするのは大変難しい。さらに、フレームを支持面、例えば壁面などに固定した場合には、シート材を張るのにこのフレームを利用することができない。なぜならば、シート材の張り具合を変えるのには、ベースフレームの内側から操作をしなければならないからである。
【０００５】
より具体的には、本発明は、請求項１の前提部分に係る細長いエレメントに関するものである。
【０００６】
上記に規定した特徴を有するフレーム用の細長いエレメントは、イタリアの実用新案登録出願ＴＯ２０００Ｕ００００１８によって公知となっている。この出願は、張られたシート材、例えば織物、絵画用キャンバス、紙、又は類似のものなどを支持するためのフレームについて特に記載している。フレームは複数の細長いエレメントからなり、各エレメントは主形材と副形材とを含んでいる。フレームの主形材は、それぞれ、その端部に垂直に配置された一対の他の主形材に堅く連結されている。副形材が各主エレメントの背面に蝶番で取り付けられている。この副形材には、長手方向自由端が設けられており、この自由端は、着脱可能な固定手段によってシート材を固定できるようにするためのタブを有している。ねじが、シート材の張り具合を調整するために各副形材に配置されている。このねじは、副形材と主形材との間のこのねじの長さを変え、主形材に対する副形材の角度を変え、その結果、副形材と主形材の間の距離を変えるために、工具で動かすことができる。
【０００７】
しかしながら、この解決法によるフレームの主エレメントの構造は、支持面に固定するのにあまり適していない。これは、背面に蝶番で取り付けられている副形材が存在しているからである。いずれにしても、この構造では、フレームが既に支持面に固定されていると、フレームにより支持されているシート材の張り具合を簡単で現実的な方法で調整することができない。
（発明の開示）
本発明の主な目的は、細長いエレメントであって、特に、大きなサイズの可撓性シート材を支持するためのフレームを製造するのに使用できる細長いエレメントを提供することである。このフレームのエレメントは、支持面に簡単に固定することができる。支持面は、例えば、部屋や、建物の壁面などである。フレームには、後からシート材を配置でき、支持面からフレームを取り外す必要なく、好みの張力で張ることができる。
【０００８】
この目的は、添付の請求項１で述べた特徴を有する細長いエレメントによって達成できる。
【０００９】
これらの特徴のおかげで、本発明の細長いエレメントは、壁面に簡単に固定することができる。また、本発明の細長いエレメントは、フレームを形成するために、他の細長いエレメントと連結することができるであろう。これら他の細長いエレメントも同じ壁面に固定されているか、又は別の壁面に固定されている。形成されたフレームは、シート材を支持することができる。また、このフレームは、細長いエレメントの副形材の位置を調整することにより、シート材に一様な張力を与えることができる。
【００１０】
特に、このようなフレームと、その上に張られた可撓性シート材で、パネルシステムを製造することが可能である。パネルシステムは、使用するシート材により、いろいろな役割を果たすことができる。パネルシステムは、壁、例えば部屋の側壁や天井を保護し、一般的な壁の塗装に取って代わることができる。これは、このような保護機能を行える耐性のあるシート材を使用すれば可能である。パネルシステムは、例えば印刷されたシート材のように、既に装飾が施されたシート材を使用することにより、あるいは、設置後に、例えば絵を描くことで装飾を施せるようになっているシート材を使用することにより、主として装飾目的で使用することもできる。光又は画像を投影するためのスクリーンを構成するのに適したシート材を使用すれば、パネルシステムにより、例えば動画用の投影画面を製造することが可能となる。壁の近傍に配置され、吸音特性を有する構造のシート材が取り付けらているフレームは、吸音壁の製造を可能にする。単一のフレーム、又は隣り合って配置された一対のフレームであって、各フレームがそれぞれのシート材を備えているものから構成されたパネルシステムは、パーティションを形成し、部屋を２つの領域に分けるのに使用できる。シート材を面に取り付ける場合、シート材は、壁面の他に、食器棚の扉やテーブル・トップなどの家具の面に取り付けられ得る。ものを支えるための棚又は類似のものは、一つ以上の細長いエレメント及び適当なシート材を用いて製造することができる。シート材がカバー用の織物であれば、例えば肘掛け椅子のような家具の外側をカバーし、シート材と支持部分の間に挿入された詰め物の拡張部を収めるようにこれを使用することができる。
【００１１】
いずれにしても、フレームを形成する細長いエレメントは、壁面の周囲に正確に沿うように配置することができ、ドアや窓といった壁面にありそうな開口部を迂回でき、ソケットやスイッチなど、壁に取り付けられたシステム又はアクセサリーを使用できるようにする。
【００１２】
湾曲した壁やいろいろな形状をした壁にフレームを合わせなければならない場合には、壁に対応した形状の細長いエレメント、例えば、曲線形状をした細長いエレメントを使用することができる。代替案としては、曲線状の細長いエレメントを使用して、平坦な壁を隠したり、別の形状にしたりしてもよい。
【００１３】
パネルシステムが壁を見えないように覆い隠す場合には、壁の面を粗末な状態のままにしておくことができる。欠陥、又は、突出したパイプ、外部配管、空気流入口など、壁に取り付けられた備品は隠された状態で残る。
【００１４】
可撓性シート材は、洗濯などのメンテナンス上の理由で、あるいは、取り替えたい場合に、フレームから簡単に取り外すことができる。取り外しに伴う費用と厄介さは、例えば壁紙、木、又はタイルからなる従来の壁のコーティングの除去に要するそれより、もちろん、かなり少ない。
【００１５】
本発明の細長いエレメントは、従来のタイプのフレームを製造するための代替手段として利用できる。従来のタイプのフレームでは、フレーム上にそれぞれの可撓性シート材を取り付け、所望の状態に張った後に面に掛けることが意図されている。
【００１６】
本発明の有利な特徴によれば、主形材に案内手段が設けられている。案内手段は、副形材を、主形材に対する平行移動に応じて案内する。平行移動は、前述した位置調節手段を動かすことで生じるものである。案内手段は、副形材が主形材から外れるのを防ぐようになっている。
【００１７】
この特徴により、シート材をフレームに張るという操作が簡単になっている。これは、フレームが支持壁に固定されている場合に特にそうである。
【００１８】
本発明の他の特徴及び利点は、下記の詳細な説明を読み、添付の図面を参照すればより明確になる。下記の詳細な説明は、何ら限定をしない例として単に示したものである。
【発明を実施するための最良の形態】
【００１９】
最初に図１から６までを参照すると、本発明の第１実施形態による細長いエレメントの全体が符号１０で示されている。
【００２０】
各細長いエレメント１０は、主形材１０ａを備え、この主形材１０ａは、梁部１２を有する。梁部１２は、軸方向の空洞１２ａを有することが好ましい。また、梁部１２からは、薄板からなる細長い付属部１４が伸びている。付属部１４には、丸い形状を有する巻き付け自由端１６が設けられている。主形材１０ａは、プラスチック若しくは複合材料、又はアルミニウムなどの金属から一体に作られることが有利であり、好ましくは、押出成形によって得られる。
【００２１】
梁部１２は、例えば矩形などの多角形断面を有し、付属部１４は、梁部１２の側面の一つの延長部分であると都合がよい。主形材１０ａを支持面に固定可能にするのに適した連結部分が梁部１２に結合されている。この連結部分は、具体的な連結の要件によりどのような形状にもすることができ、また、主形材１０ａの任意の部分から構成することができる。好ましくは、この連結部分は梁部１２の付属部１４と反対の部分から片持ち梁状に延びているリブ１８の形状を有する、。連結部分については、後により詳細に取り扱う。
【００２２】
実質的にＬ字形状の副形材２０ａが、各主形材１０ａに、その主形材１０ａに対して平行移動可能に取り付けられている。副形材２０ａは、主形材１０ａの細長い付属部１４に平行な第１部分（分岐部分）２２と、第１部分２２に対して垂直な第２部分（分岐部分）２４とを有する。第２部分２４は、梁部１２から細長い付属部１４の方へ延びているフック状構造部３８によって画定された細長い空洞部３６の中にスライド可能に入れられている。このように、副形材２０ａの第２部分２４が空洞部３６と係合することにより、副形材２０ａの平行移動が案内され、この結果、この平行移動は、副形材２０ａが偶発的に主形材１０ａから離れてしまうことなく行われ、副形材２０ａは、主形材１０ａに近い位置に維持される。
【００２３】
さらに、梁部１２には、細長い付属部１４と反対の側に向いている凹部４０が設けられ、この凹部４０は、好ましくは、同じフック状構造部３８によって画定された空洞からなる。凹部４０は、連結端４２とスナップ式に係合できる。連結端４２は、傾斜付き挿入端部を有し、フレーム形材４４の一部であり、主形材１０ａと着脱可能に連結できる。フレーム形材４４は、連結端４２と反対の側において曲がった端部４６を有する。この端部４６は、フレーム形材４４を主形材１０ａに連結したときに、細長い付属部１４の巻き付け端部１６に近い位置に配置されるようになっている。
【００２４】
主形材１０ａに対する副形材２０ａの移動は、位置調節手段によって調節することができる。この位置調整手段は、複数のねじ部材３４を含んでいる。ねじ部材３４は、それぞれ、ねじ山が切られた軸部を備えており、この軸部は、第１部分２２に形成された対応するねじ孔と係合する。ねじ３４のねじ山が切ってある軸は、付属部１４に当接する自由端と、調節用構造部３４ａが設けられた他端と、を有する。この調節用構造部３４ａは、例えば六角頭であり、対応する駆動用工具Ｔ（図１参照）を係合させて、それぞれのねじ３４をその軸回りに回転させ、これにより、付属部１４と、副形材２０ａの第１部分２２との間の距離を変えることができる。
【００２５】
副形材２０ａの第１部分２２には、１つ以上の着脱可能なクリップ・エレメント３０を用いて可撓性のあるシート材Ｓの端部を固定するための曲げられた縁部２６が設けられている。クリップ・エレメント３０は、好ましくは、溝の形状をした形材の一片であり、シート材Ｓの端部を間に配置して縁部２６にスナップ式に連結するようになっている。
【００２６】
上記のタイプの細長いエレメント１０は、シート材Ｓを支持し、そのシート材Ｓの張り具合を所望のものにする目的で、通常は多角形状の閉構造のフレームを形成するために、他の細長いエレメント１０と結合することができる。シート材Ｓは、絵画用キャンバス、紙若しくはプラスチック材からなるシート又は同様のものであってもよい。いくつかの細長いエレメント１０を連結した場合、それらの副形材２０ａは、互いに独立した状態を維持し、また、それらの端部は、隣接する細長いエレメント１０の副形材２０ａの端部に対して自由なままである。
【００２７】
フレームを形成する細長いエレメント１０は、連結要素５０ａ、５０ｂを用いて互いに連結させることができる（図４から図６を参照）。連結要素５０ａ、５０ｂは、空洞１２ａの断面形状に対応する断面形状を有し、各主形材１０ａの両端に挿入される。連結要素５０ａは、直線的なものであり、連結要素５０ａにより２つの細長いエレメント１０を同軸につなぐことができる。一方、連結要素５０ｂは、例えば９０度に曲げられており、このために、連結要素５０ｂは、２つの細長いエレメント１０をある角度をもって連結するのに利用できる。これは、好ましくは、つなごうとしている２つの主形材１０ａの端部を、例えば、細長いエレメント１０を９０°で連結する場合には４５°の角度にそって、といった具合に相応の方法で切断してから行う。あるいは、曲線状の部材を互いに連結できるように、又は、曲線状の部材を直線状の部材と連結できるように、連結要素は、曲線形状を有していてもよい。
【００２８】
連結要素５０ａ又は５０ｂとそれぞれの主形材１０ａとの間の極めて効果的な連結を保証するために、各連結要素５０ａ、５０ｂに、固定用のねじ１９ａを挿入するための横貫通孔４８を設けることができる。曲がった連結要素５０ｂの孔４８は、主形材１０ａを２つの異なる状態で連結するのに連結要素５０ｂを使用できるように、連結要素５０ｂの各端部において互いに横切る孔の対により形成される。２つの異なる状態の一つは、図１から６までに図示されており、他方は、主形材１０ａの付属部１４をシート材Ｓに対して垂直に配置することを伴う。あるいは、孔４８は、ユーザーが、例えばドリルを使用して、主形材１０ａを連結したときに開けてもよい。ねじ１９ａは、また、主形材１０ａの梁部１２の両側で、梁部１２の両側に形成された一対の溝１３ａに形成された孔１３を横切る。各ねじ１９ａは、次にナット１９ｂを用いて締められる。ねじ１９ａの頭部とナット１９ｂの両方が梁部１２の溝１３ａに入り、このために、ねじ１９ａの頭部とナット１９ｂは、梁部１２の外に突出しない。
【００２９】
複数の細長いエレメント１０を用いて作られた上記のタイプのフレームは、特に、大きなサイズのシート材を支持するのに適応しており、例えば建物や部屋の壁Ｗの面などの支持面に固定されるようになっている。この場合、特に図１及び２を参照すると、主形材１０ａは、リブ１８が壁Ｗの面の上にあるように、壁Ｗの面に配置される。したがって、主形材１０ａを壁Ｗに一組のねじ２１（恐らく、それぞれの不図示のスクリュー・アンカーが備えられている）を用いて固定するのにリブを利用することができる。壁Ｗが金属シートであれば、例えば小さな棒状の永久磁石（図面に図示せず）からなる磁石型固定部材をねじ２１の代替品として使用することができる。この磁石型固定部材は、壁Ｗに向けようとする主形材１０ａの側面に固定することができる。後者の場合、磁石型固定部材を主形材１０ａにあるそれぞれの中空の座部に入れることができる。この座部は、このような磁石型固定部材よりも浅く、このために磁石型固定部材は、壁Ｗを向いている主形材１０ａの面からわずかに突出するようになり、フレームの一つの細長いエレメント１０の外側の端にユーザーが加えた圧力により、てこの効果の結果として、壁Ｗから対向するエレメント１０に付けられた磁石型固定部材を取り外すことができる。これにより、フレームを壁Ｗから取り外す作業が簡単になる。
【００３０】
フレーム全体を構成するいくつかの細長いエレメント１０を固定した後、支持すべきシート材Ｓを主形材１０ａの巻き付け端部１６に載せることでフレームに重ね、シート材が壁Ｗの面にほぼ平行な形状を呈するようにする。シート材Ｓの端に近い一部分を曲げ、それぞれの主形材１０ａの巻き付け端部１６に巻き、副形材２０ａの曲げられたリム２６にクリップ・エレメント３０を用いて固定できるようにする。
【００３１】
シート材Ｓの張り具合を所望のものにする、特に、シート材Ｓがフレームに対して平坦な形状になるよう張り具合を適切なものにするために、工具Ｔを用いて、ねじ３４の調節構造部３４ａに作用することができる。なお、調節構造部３４は、フレームの主形材１０ａを壁Ｗの支持面に固定し、シート材Ｓを副形材２０ａに固定したときに、フレームの外側から容易に届く位置に配置される。
【００３２】
シート材Ｓの張り具合を調整する作業が完了すると、フレーム形材４４に圧力を加え、フレーム形材４４の端部４２が主形材１０ａの凹部４０にスナップ係合するまで押すことにより、それぞれのフレーム形材４４を各主形材１０ａに取り付けることができる。この状態において、フレーム形材４４の端部４６は、それぞれの主形材１０ａの巻き付け端部１６に巻かれたシート材Ｓの近くか又はそれに載った位置にある。
【００３３】
代替品として、複数の主形材１０ａを、その主形材１０ａが固定されている壁Ｗの面に垂直な面内に延在するシート材Ｓを支持するのに適したフレームを実現するために用いることもできる。実際には、このフレームの主形材１０ａが図１及び２に示したのと同じ方法で壁Ｗに取り付けられ、その一方で、シート材Ｓがこれらの図に示されている方向に対して垂直に向けられる。すなわち、シート材Ｓは、主形材１０ａの付属部１４に対して垂直に向けられる。この場合、リブ１８は、梁部１２から付属部１４に対して垂直に、例えば梁部１２のフック状構造部３８を有する側とは反対の側における延長部のように延び、主形材１０ａを壁にシート材Ｓと平行に取り付けられるように、そしてそれにより、図１及び２の壁Ｗに垂直に取り付けられるようにしてもよい。この状態で主形材１０ａに取り付けるフレーム形材を使用する場合には、そのフレーム形材は、曲がった端部４６が設けられていない点を除きフレーム形材４４と同様である。
【００３４】
複数の主形材１０ａを互いに連結すれば、壁Ｗから取り外し可能なフレームを得ることもできる。このフレームは、シート材Ｓをその上に配置し、希望の張り具合にした後にのみ壁Ｗにかけるためのものである。フレームの大きさから必要な場合には、補強用の横材１７を用いてフレームを強化することができる（図３から５を参照）。横材１７は、主形材１０ａのリブ１８にねじ２１を用いて固定する。ねじ２１は、例えば、タッピング型のねじであり、あるいは、壁Ｗが金属製であれば、前述した磁石型固定部材である。横材１７を互いに交差させたい場合には、横材１７を、交差部分用の交差型接続部を含む一組の連結要素から作るようにしてもよいし、あるいは、交差部分で重なり合う直線的な部材を用いて横材１７を作ることができる（図示していないが、それ自体公知のタイプのものである）。一般的なねじ２１の代わりに、ボルトを使用して横材１７の端部をそれぞれの主形材１０ａのリブ１８に固定してもよい。この場合、リブ１８に長手方向の溝（図示せず）があることが好ましい。この溝は、ねじの頭、又は上記のボルトのナットを入れる座部となる。同様のボルトを使用して、横材１７を重なり合っている交差部や延長領域で固定することもできる。
【００３５】
着脱可能なフレームでは、フレームを壁Ｗから外したときに、ねじ３４の調節用構造部にフレームの背面から手が届くので、調節用構造部３４に、図４で３４ｂを付した放射状のフィンを設けて、それらを手で容易に動かせるようにしてもよい。
【００３６】
図７は、本発明の他の実施形態を示す。この実施形態では、図１から６と同一の符号が、これらの図面と同一又は類似の要素を示すのに用いられており、また、関連の説明では、前述した実施形態との差異に付いて主に言及する。この実施形態の主形材１０ａは、梁部１２が中実となっており、薄板からなる又は実質的にＩ形状の断面を有する簡単な構造を有している。ねじ２１を係合させるための孔がリブ１８に形成されており、長手方向溝１３ａが梁部１２と反対の側の面に形成されている。溝１３ａには、ねじやボルトの頭部を入れることができ、これらのねじやボルトは、主形材１０ａの隣り合う部分をそれぞれの端部に、直線的な又は屈曲している連結要素（図７において不図示）を用いて、前述した実施形態に関連して説明したのと同様な方法で、連結するのに利用することができる。
【００３７】
副形材２０ａの曲がったリム２６は、クリップ・エレメント３０を用いて容易にシート材Ｓを取り付けることができるように、チェック・リップ（ｃｈｅｃｋ  ｌｉｐ）２６ａを有していてもよい。
【００３８】
リブ１８は、梁部１２と反対の側から延びて突出部を形成しており、この突出部からは、梁部１２に平行に、フック用構造部３８が延びている。フック用構造部３８は、空洞３６を画定している。この突出部には、台形の断面を有するほぞ穴４０が形成され、Ｌ字状の断面を有するフレーム形材４４の端部から延びるほぞ４２の前方係合（ｆｒｏｎｔ  ｅｎｇａｇｅｍｅｎｔ）を可能にしている。ほぞ４２は、２つの弾性のあるタブ（ｔａｂ）を有し、これらのタブは、Ｖ字になるように配置されている。これらのタブは、フレーム形材４４に外側から力を加えると、ほぞ穴４０にスナップ式に係合するようになっている。
【００３９】
図８は、本発明による細長いエレメントの他の実施形態を示す。この図では、図１から７と同じ符号が、これらの図と同一又は類似の要素を示すために使用されている。以下の記載では、前述した実施形態に関連して説明したことと異なる本実施形態の面について主に検討する。
【００４０】
本実施形態の主形材１０ａも梁部１２が中実であり、薄板状の断面を有する簡単な構造を有している。この場合、梁部１２の一部分が、主形材１０ａの壁Ｗへの連結部分を構成しており、主形材１０ａを壁Ｗに固定するために各ねじ２１を挿入する複数の孔が形成されている。あるいは、壁Ｗが金属製である場合には、梁部１２のこの一部分に、前述した実施形態で述べた磁石式固定部材を入れるための座部が形成されている。
【００４１】
主形材１０ａに対する副形材２０ａの位置を調節するための手段は、複数のねじ３４を備えている。ねじ３４のねじ山が切られている軸は、副形材２０ａの第１部分２２を横切り、ねじ３４の自由端は、付属部１４の副形材２０ａと対向する面に形成された溝３５に入る。各ねじ３５のねじ部は、それぞれのナット３５ｂのねじ部と係合している。ナット３５ｂは、例えば方形のナットである。ナット３５ｂは、副形材２０ａの第１部分２２に、一対の対向するクリップ式付属部３５ａで取り付けてある。クリップ式付属部３５ａは、副形材２０ａと一体に形成されている。
【００４２】
各ねじ３４の頭部３４ａは、円盤状の基部３３を有することが好ましい。この基部３３により、（図８では不図示の）調節用のレンチを、ねじ３４を動かしている間、適切な位置に維持することが容易になる。
【００４３】
副形材２０ａの曲がった縁部２６に広がった頭部２６ｂを設けることが好都合である。頭部２６ｂは、一対の対向する鋭利なエッジ状の構造部を有する。この鋭利なエッジ状の構造部は、各クリップ・エレメント３０の対応する係合構造部とスナップ式に係合させるためのものである。クリップ・エレメント３０を広がった頭部２６ｂからより簡単に取り外せるようにするために、クリップ・エレメント３０にはつかみ舌部（ｓｅｉｚｉｎｇ  ｔｏｎｇｕｅ）３０ａを設けている。つかみ舌部３０ａをつかんでクリップ・エレメント３０を弾性変形させることにより、頭部２６ｂの鋭利なエッジ状の構造部をクリップ・エレメント３０から外すことができる。
【００４４】
副形材２０ａの第２部分２４の長さは、フック状構造部３８の自由端の付属部１４からの距離と実質的に同じであると都合がよい。このようにすると、主形材１０ａを既に壁Ｗに固定してある場合に、副形材２０ａを壁Ｗに垂直に動かすことにより、副形材２０ａを主形材１０ａの内側に挿入することができる。副形材２０ａの第２部分２４が梁部１２に載っている場合には、第２部分２４を主形材１０ａの細長い空洞３６と係合させるのに、副形材２０ａを付属部１４に対してわずかに動かすだけで十分である。この副形材２０ａのわずかな動きは、ねじ３４を動かすことにより得られる。このような状態では、同時にねじ３４の端部が溝３５に係合しているということもあり、副形材２０ａが主形材１０ａに効果的に連結され、シート材Ｓに張力を加えることにより強く引っ張られたとしても、副形材２０ａは、主形材１０ａの梁部１２から外れにくい。
【００４５】
この実施形態の主形材１０ａは、また、フック状構造部３８に対して横に、かつ、付属部１４に平行に延びている板状部分３９を備えている。突出部４２が板状部分３９の梁部１２と反対の側の端部に設けられている。突出部４２は、広がった頭部を有し、この頭部は、凹部４０とスナップ式に係合できる。凹部４０は、一対の弾性足部４１によって画定されている。足部４１は、開くことができ、薄板からなるフレーム形材４４の端部に一体に形成されている。
【００４６】
図９は、本発明による細長いエレメントの他の実施形態であって、さらに簡単な構造を有するものを示す。この図において、図１から８に既に使用されている符号は、それらの図と同一又は類似の要素を示すのに用いられており、関連する記載では、前述した実施形態に関連して既に説明したことと異なる面を主に検討する。
【００４７】
１０ｂを付したこの実施形態の主形材は、異なる長さの枝分かれした２つ部分を備えたフォーク状の形状を有する。枝分かれした２つの部分は、中実である梁部１２から延びている。枝分かれした２つの部分のうち長い方の枝部は、支持壁Ｗの面の上に載るように配置されている。一方、他方の枝部は、符号３８が付されており、フック状構造部からなり、このフック状構造部は、細長い空洞３６を画定している。梁部１２はまた、主形材１０ｂを取り付ける部位という機能を果たす。このために、貫通孔が梁部１２に形成されており、これにより複数のねじ２１（一つのみが図示されている）を係合させて、主形材１０ｂを壁Ｗに取り付けることができる。代替案としては、前述の実施例で言及した磁石式固定部材を入れるための座部を梁部１２に形成してもよい。
【００４８】
主形材１０ｂに取り付けられた副形材２０ｂは、Ｌ字形状の断面を有し、互いに垂直な第１部分２２と第２部分２４とを備えている。第２部分２４の長さがフック状構造部３８と実質的に等しく、その断面は、第２部分２４を空洞３６に挿入することができるように、空洞３６の断面に対応している。空洞３６と第２部分２４との間の小さな遊びにより、第２部分２４は、空洞３６に沿ってスライドすることができる。シート材Ｓ用の巻き付け付属部１６と広がった頭部２６ｂが第１部分の第２部分と反対側の端部に形成されている。広がった頭部２６は、一対の鋭利な端部を有する。この一対の端部は、クリップ・エレメント３０の対応する座部の両側とスナップ式に係合させるためのものである。この係合は、クリップ・エレメント３０を図中の矢印Ａの方向に押すことにより行われる。クリップ・エレメント３０には、つかみ舌部（ｓｅｉｚｉｎｇ  ｔｏｎｇｕｅ）３０ａを設けていると便利である。
【００４９】
主形材１０ｂに対する副形材２０ｂの位置は、複数のねじ３４を用いて調節することができる。各ねじ３４は頭部３４ａを有し、その頭部３４ａは、対応する形状の工具によって操作される。各ねじ３４のねじ山が切ってある軸は、頭部３４ａと反対側にある軸の自由端が、フック状構造部３８のそれぞれの端面に当接するように第１部分２２を横切っている。
【００５０】
さらに、主形材１０ｂは、頭が広がった突出部４２を、より長く延びている枝部の端部に有することが好ましい。突出部４２は、Ｌ字形状の断面を有するフレーム形材４４の凹部４０にスナップ式に係合させるためのものである。この係合は、図において矢印Ｂで示す方向に力を加えることにより、凹部４０を画定する一対の平行な足部４１の弾性変形により行われる。
【００５１】
梁部１２は、同じ長さで、フック状の形状をした一対の小さくて平行な付属部（不図示）を、例えば、空洞３６と反対側の面に設けられてもよい。この付属部は、主形材１０ｂの連結エレメントを入れる座部を画定し、連結エレメントはこの座部の断面に対応する断面を有する。特に、まっすぐな又は曲がった連結エレメントを使用して、主形材１０ｂのまっすぐな又は曲がった部分を前方接続（ｆｒｏｎｔ  ｃｏｎｎｅｃｔｉｏｎ）可能にすることができる。あるいは、角度を付けた連結エレメントを使用して、主形材１０ｂの部分々々を、形材全体の軸に対して傾いている線に沿って所定角度で連結することができる。
【００５２】
図１０は、本発明のさらに別の実施形態による細長いエレメント１０を示している。図１０では、前述した実施形態のものと同一又は類似の要素を示すのに同じ符号が用いられている。
【００５３】
この実施形態の細長いエレメント１０は、それぞれ、互いに組み合わせられている主形材１０ｃと副形材２０ｃとを備えている。
【００５４】
主形材１０ｃは、梁部１２を有する。この梁部１２は、（図面上では）実質的に逆Ｃ字形状の断面を有し、また、一対の平行なリブ１８を備えている。両方のリブ１８を、同軸の孔１８ａが横切っている。梁部１２の中間部分１９が２つのリブ１８の間に延びている。中間部分１９を複数の孔１８ｂ（図１０では一つのみが見える）が横切っている。これらの孔１８ｂは、孔１８ａに対して垂直であり、凹部１８ｃで開口している。
【００５５】
ねじ２１をリブ１８における一対の同軸孔１８ａのそれぞれに挿入して、主形材１０ｃに補強用横材１７を取り付けることができる。このようにするのは、シート材Ｓを引き伸ばした後にフレームを壁に掛けなければならない場合に、フレームを補強するためである。この場合、ねじ２１は、補強用横材１７の対応する端部が凹部１８ｃに挿入されたときに、補強用横材１７の端部横孔１７ａにも係合する。
【００５６】
代替案として、梁部１２から外に突出するほど十分長いねじ２１（不図示のスクリュー・アンカーを備えているかもしれない）を同軸孔１８ａの各対に使用し、主形材１０ｃを、ねじ２１に対して横向きの支持壁の面（図示せず）に固定できるようにしてもよい。後者の場合、２つのリブ１８は、自身を連結する部分として機能する。あるいは、前述した実施形態で言及した磁石式固定部材を孔１８ａに挿入してもよく、又は、孔１８ａの端部の拡大部分（図示せず）に挿入してもよい。
【００５７】
上記のようにせずに、壁面が孔１８ａと平行になるように主形材１０ｃを壁に配置しなければならい場合には、リブ１８を梁部１２を支持する足のように使用し、そして、これらの部分は、孔１８ｂに挿入したねじ１２によって、或いは、孔１８ｂ又はリブ１８のところに形成した座部に入れた磁石式固定部材を用いて壁に固定する。
【００５８】
細長い付属部１４は、角を丸めた巻き付け端部１６が設けられており、梁部１２から片持ち梁状に横方向に延びている。
【００５９】
付属部１４には、逃げ溝（ｕｎｄｅｒｃｕｔ  ｇｒｏｏｖｅ）１５が形成されている。この逃げ溝１５は、梁部１２の側において幅の狭い溝１５ａで開口している。逃げ溝１５は、ねじ３４の広がった頭部３４ｃを回転可能に入れることにより、ねじ３４のねじ山が切ってある軸を溝１５ａを通して付属部１４から突き出すようになっている。
【００６０】
主形材１０ｃに取り付けられた副形材２０ｃは、薄板からなる主部２２を有する。この主部２２は、その端部に曲がったリム２６を設けられている。リム２６は、さらに、広がった頭部２６ｂが設けられており、この頭部２６ｂは、鋭利な端部の構造部を背中合わせに備えている。これは、この頭部２６ｂに可撓性のあるシート材Ｓの端部をクリップ・エレメント３０を用いて固定できるようにするためである。
【００６１】
各ねじ３４の軸は、副形材２０ｃの主部２２に形成された対応するねじ孔と係合する。また、各ねじ３４の軸は、それぞれの頭部３４ｃの反対側端部に角柱状構造部３４ｄを有する。角柱状構造部３４ｄは、例えば方形の断面を有する。この角柱状構造部３４ｄは、ボディ３４ｅの対応する角柱状空洞と係合させるためのものである。ボディ３４ｅには、放射状のフィンが設けられていることが好ましい。ボディ３４ｅをそれぞれのねじ３４の軸に固定すると、ユーザーは、ボディ３４ｅを手で動かして、それぞれのねじ３４を回し、これにより、副形材２０ｃを平行移動させ、ねじ３４を回す方向により、副形材２０ｃを付属部１４に平行に移動させて近づけたり離したりすることができる。よって、シート材Ｓがをリム２６に固定したら、シート材Ｓの張り具合を、制御用構造部３４ｅを手で動かすことにより変えることができる。制御用構造部３４ｅに主形材１０ｃの外側から容易に手が届くという事実から、形材がそれぞれの支持壁に固定され、シート材Ｓが副形材２０ｃに固定されたときでも、簡単で実用的な方法でシート材Ｓに希望の張り具合を与えることができる。
【００６２】
梁部１２には、付属部１４の反対側に突出部４２が設けられている。突出部４２は、広がった頭部を有し、この広がった頭部は、凹部４０に係合させることができる。凹部４０は、一対の弾性がある可撓性足部４１によって画定されており、これらの足部４１は、実質的にＬ字形状のフレーム形材４４の一端に一体的に形成されている。フレーム形材４４は、凹部４０の反対側に、曲げられた端部を有する。フレーム形材４４は、シート材Ｓの張り具合を調整する作業が完了したら、力を加えて、主形材１０ｃに連結させることができる。シート材Ｓを取り外したい場合、又は、シート材Ｓの張り具合をもう一度調整したい場合には、フレーム形材４４を主形材１０ｃから取り外すことができる。
【図面の簡単な説明】
【００６３】
【図１】図１は、本発明の第一実施形態による細長いエレメントであって、支持面に固定され、シート材がまだ取り付けられていない状態の細長いエレメントの正面断面概略図である。
【図２】図２は、図１と同様な図であって、完全に組み立てられた同じ細長いエレメントを示す図である。
【図３】図３は、図１及び２と同様の概略図であり、本発明によるフレームの一部である２つの細長いエレメントの断面を示しており、フレームは、シート材をその上に配置して、希望の張力までシート材を張った後に、支持面に掛けられるようになっており、図の左部分にある細長いエレメントは、シート材を取り付ける前の状態にあり、図の右部分にある細長いエレメントは、完全に組み立てられた状態にある。
【図４】図４は、図３の細長いエレメントの端部を直線状の連結要素と共に示す一部分解斜視図であり、連結要素は、２つの細長いエレメントを同軸に連結できるように、細長いエレメントの空洞に挿入することができる。
【図５】図５は、図４と同様な図であり、４５°に切断された端部を備えた細長いエレメントと、９０°の角度をもった連結要素とを示しており、細長いエレメントを別の細長いエレメントに直角に連結するために、連結要素の枝部を細長いエレメントの空洞に挿入することができる。
【図６】図６は、本発明によるフレームを形成するための複数の細長いエレメント及び連結要素を分解した状態で示す全体概略図である。
【図７】図７は、本発明の第２実施形態による細長いエレメントの図１と同様な図である。
【図８】図８は、本発明の第３実施形態による細長いエレメントの図１と同様な図である。
【図９】図９は、本発明の第４実施形態による細長いエレメントの図１と同様な図である。
【図１０】図１０は、本発明の第５実施形態による細長いエレメントの正面断面概略図である。
【図１】
2005163528.tif 000003
【図２】
2005163528.tif 000004
【図３】
2005163528.tif 000005
【図４】
2005163528.tif 000006
【図５】
2005163528.tif 000007
【図６】
2005163528.tif 000008
【図７】
2005163528.tif 000009
【図８】
2005163528.tif 000010
【図９】
2005163528.tif 000011
【図１０】
2005163528.tif 000012
【外国語明細書】
2005163528.tif 000013
2005163528.tif 000014
2005163528.tif 000015
2005163528.tif 000016
2005163528.tif 000017
2005163528.tif 000018
2005163528.tif 000019
2005163528.tif 000020
2005163528.tif 000021
2005163528.tif 000022
2005163528.tif 000023
2005163528.tif 000024
2005163528.tif 000025
2005163528.tif 000026
2005163528.tif 000027
2005163528.tif 000028
2005163528.tif 000029
2005163528.tif 000030
2005163528.tif 000031
2005163528.tif 000032
2005163528.tif 000033
2005163528.tif 000034
2005163528.tif 000035
2005163528.tif 000036
2005163528.tif 000037
2005163528.tif 000038
2005163528.tif 000039
2005163528.tif 000040
2005163528.tif 000041
2005163528.tif 000042
2005163528.tif 000043
2005163528.tif 000044
2005163528.tif 000045
2005163528.tif 000046
2005163528.tif 000047
2005163528.tif 000048
2005163528.tif 000049
2005163528.tif 000050
2005163528.tif 000051
2005163528.tif 000052
2005163528.tif 000053
2005163528.tif 000054